(57)【要約】【課題】利用者の利便性の向上、及びコストの削減を実現可能な駐車場管理システム、駐車場管理装置、駐車場管理方法、及びプログラムを提供すること。【解決手段】本発明の一形態に係る駐車場管理システムは、撮像部と、検出部と、算出部とを具備する。前記撮像部は、駐車スペースを含む駐車場領域の動画像を撮影する。前記検出部は、前記撮影された動画像に基づいて、前記駐車スペースに進入して停止する進入移動体を検出し、識別情報を付与する。前記算出部は、前記進入移動体が検出された前記動画像の撮影時刻及び前記識別情報に基づいて、前記駐車スペースに駐車する車両の駐車料金を算出する。【選択図】図５
2020013293.tif 000002
【特許請求の範囲】
【請求項１】
駐車スペースを含む駐車場領域の動画像を撮影する撮像部と、
前記撮影された動画像に基づいて、前記駐車スペースに進入して停止する進入移動体を検出し、識別情報を付与する検出部と、
前記進入移動体が検出された前記動画像の撮影時刻及び前記識別情報に基づいて、前記駐車スペースに駐車する車両の駐車料金を算出する算出部と
を具備する駐車場管理システム。
【請求項２】
請求項１に記載の駐車場管理システムであって、さらに、
利用者の操作を受付ける受付部と、
前記撮影された動画像に基づいて、前記駐車場領域の現在の画像を表示可能な表示部と
を具備し、
前記算出部は、前記表示された現在の画像に含まれる車両を選択する操作が受付けられた場合に、前記選択された車両に対応する前記進入移動体である対応移動体に付与されている前記識別番号に基づいて、前記対応移動体が検出された前記動画像の撮影時刻と、前記現在の画像の撮影時刻との差分に応じて前記駐車料金を算出する
駐車場管理システム。
【請求項３】
請求項１又は２に記載の駐車場管理システムであって、
前記検出部は、前記撮影された動画像に基づいて、前記駐車スペースに停止している前記進入移動体の前記駐車スペースからの移動を検出し、
前記算出部は、前記進入移動体が検出された前記動画像の撮影時刻と、前記進入移動体の前記駐車スペースからの移動が検出された前記動画像の撮影時刻との差分に応じて前記駐車料金を算出する
駐車場管理システム。
【請求項４】
請求項１から３のうちいずれか１項に記載の駐車場管理システムであって、
前記検出部は、前記撮影された動画像に基づいて、前記駐車スペースに停止している前記進入移動体の前記駐車場領域からの移動を検出し、
前記算出部は、前記進入移動体が検出された前記動画像の撮影時刻と、前記進入移動体の前記駐車場領域からの移動が検出された前記動画像の撮影時刻との差分に応じて前記駐車料金を算出する
駐車場管理システム。
【請求項５】
請求項１から４のうちいずれか１項に記載の駐車場管理システムであって、さらに、
前記検出部により検出された前記進入移動体を選択するための選択用画像を、前記現在の画像に重畳させて表示させる表示制御部を具備する
駐車場管理システム。
【請求項６】
請求項５に記載の駐車場管理システムであって、
前記検出部は、前記進入移動体の外形を検出可能であり、
前記表示制御部は、前記検出された進入移動体の外形に基づいて、前記進入移動体を囲む画像を、前記選択用画像として表示させる
駐車場管理システム。
【請求項７】
請求項５又は６に記載の駐車場管理システムであって、
前記表示制御部は、前記現在の画像に複数の進入移動体が含まれる場合に、前記複数の進入移動体の各々を選択するための、互いに異なる形態の複数の選択用画像を表示させる
駐車場管理システム。
【請求項８】
請求項７に記載の駐車場管理システムであって、
前記表示制御部は、互いに色が異なる前記複数の選択用画像を表示させる
駐車場管理システム。
【請求項９】
請求項１から８のうちいずれか１項に記載の駐車場管理システムであって、
前記受付部及び前記表示部は、前記現在の画像を表示可能であり、前記利用者のタッチ操作を受付可能なタッチパネルを含む
駐車場管理システム。
【請求項１０】
請求項９に記載の駐車場管理システムであって、
前記受付部は、前記タッチパネルに表示された前記現在の画像に含まれる車両へのタッチ操作に基づいて、前記車両を選択する操作を受付ける
駐車場管理システム。
【請求項１１】
請求項２から１０のうちいずれか１項に記載の駐車場管理システムであって、
前記撮像部は、撮影領域が互いに重複する複数の撮像装置を含む
駐車場管理システム。
【請求項１２】
請求項１１に記載の駐車場管理システムであって、
前記表示部は、前記複数の撮像装置の各々により撮影された動画像に基づいて、前記複数の撮影装置の各々により撮影される複数の現在の画像を同時に、又は切替え可能に表示する
駐車場管理システム。
【請求項１３】
駐車スペースを含む駐車場領域が撮影された動画像を取得する取得部と、
前記取得された動画像に基づいて、前記駐車スペースに進入して停止する進入移動体を検出し、識別情報を付与する検出部と、
前記進入移動体が検出された前記動画像の撮影時刻及び前記識別情報に基づいて、前記駐車スペースに駐車する車両の駐車料金を算出する算出部と
を具備する駐車場管理装置。
【請求項１４】
駐車スペースを含む駐車場領域が撮影された動画像を取得し、
前記取得された動画像に基づいて、前記駐車スペースに進入して停止する進入移動体を検出し、識別情報を付与し、
前記進入移動体が検出された前記動画像の撮影時刻及び前記識別情報に基づいて、前記駐車スペースに駐車する車両の駐車料金を算出する
ことをコンピュータが実行する駐車場管理方法。
【請求項１５】
駐車スペースを含む駐車場領域が撮影された動画像を取得するステップと、
前記取得された動画像に基づいて、前記駐車スペースに進入して停止する進入移動体を検出し、識別情報を付与するステップと、
前記進入移動体が検出された前記動画像の撮影時刻及び前記識別情報に基づいて、前記駐車スペースに駐車する車両の駐車料金を算出するステップと
をコンピュータに実行させるプログラム。
【発明の詳細な説明】
【技術分野】
【０００１】
本発明は、駐車場管理システム、駐車場管理装置、駐車場管理方法、及びプログラムに関する。
【背景技術】
【０００２】
特許文献１に記載の駐車場管理システムでは、駐車場への車両の入出庫が検知されると、カメラにより入庫車両が撮影され、撮影画像が入庫時刻とともに記憶される。また撮影画像をもとに、入庫車両の車両ナンバーが読み取られる。駐車料金の精算フローでは、利用者により車両ナンバー又は入庫時刻が入力され、その入力情報に基づいて、精算対象となる車両が検索される。検索された車両は表示部に表示され、利用者により自車両が選択される。自車両が選択されると、駐車時間が決定され駐車料金が算出される。これにより、初期設備投資等の低減、利用者の使い勝手の向上が図られている（特許文献１の明細書段落［０００７］［００３０］〜［００３８］図４、５等）。
【０００３】
特許文献２に記載の駐車場管理システムでは、車両の入場に応じて、入場時刻が書き込まれた駐車券が発行される。またカメラにより撮影された車両の撮影画像に基づいて車両が車室に入庫したことが検知されると、入庫時刻が記憶される。利用者が自車両の駐車位置を検索する場合には、検索端末に駐車券が挿入される。検索端末は、駐車券から読み取った入場時刻に基づいて、入場時刻に近い時刻に車両が入庫した車室の現在の撮影画像を表示させる。利用者は、表示された撮影画像を確認することで、自車両の駐車位置を把握することが可能となる（特許文献２の明細書段落［００２９］〜［００３６］図５、６等）。
【先行技術文献】
【特許文献】
【０００４】
【特許文献１】特開２０１８−２２３６６号公報
【特許文献２】特開２００９−１０４４４１号公報
【発明の概要】
【発明が解決しようとする課題】
【０００５】
このように、駐車場を利用する利用者の利便性を向上させることが可能であり、また設備投資等のコストを削減可能な技術が求められている。
【０００６】
以上のような事情に鑑み、本発明の目的は、利用者の利便性の向上、及びコストの削減を実現可能な駐車場管理システム、駐車場管理装置、駐車場管理方法、及びプログラムを提供することにある。
【課題を解決するための手段】
【０００７】
上記目的を達成するため、本発明の一形態に係る駐車場管理システムは、撮像部と、検出部と、算出部とを具備する。
前記撮像部は、駐車スペースを含む駐車場領域の動画像を撮影する。
前記検出部は、前記撮影された動画像に基づいて、前記駐車スペースに進入して停止する進入移動体を検出し、識別情報を付与する。
前記算出部は、前記進入移動体が検出された前記動画像の撮影時刻及び前記識別情報に基づいて、前記駐車スペースに駐車する車両の駐車料金を算出する。
【０００８】
前記駐車場管理システムは、さらに、受付部と、表示部とを具備してもよい。
前記受付部は、利用者の操作を受付ける受付部と、
前記表示部は、前記撮影された動画像に基づいて、前記駐車場領域の現在の画像を表示可能である。
この場合、前記算出部は、前記表示された現在の画像に含まれる車両を選択する操作が受付けられた場合に、前記選択された車両に対応する前記進入移動体である対応移動体に付与されている前記識別番号に基づいて、前記対応移動体が検出された前記動画像の撮影時刻と、前記現在の画像の撮影時刻との差分に応じて前記駐車料金を算出してもよい。
【０００９】
前記検出部は、前記撮影された動画像に基づいて、前記駐車スペースに停止している前記進入移動体の前記駐車スペースからの移動を検出してもよい。この場合、前記算出部は、前記進入移動体が検出された前記動画像の撮影時刻と、前記進入移動体の前記駐車スペースからの移動が検出された前記動画像の撮影時刻との差分に応じて前記駐車料金を算出してもよい。
【００１０】
前記検出部は、前記撮影された動画像に基づいて、前記駐車スペースに停止している前記進入移動体の前記駐車場領域からの移動を検出してもよい。この場合、前記算出部は、前記進入移動体が検出された前記動画像の撮影時刻と、前記進入移動体の前記駐車場領域からの移動が検出された前記動画像の撮影時刻との差分に応じて前記駐車料金を算出してもよい。
【００１１】
前記駐車場管理システムは、さらに、前記検出部により検出された前記進入移動体を選択するための選択用画像を、前記現在の画像に重畳させて表示させる表示制御部を具備してもよい。
【００１２】
前記検出部は、前記進入移動体の外形を検出可能であってもよい。この場合、前記表示制御部は、前記検出された進入移動体の外形に基づいて、前記進入移動体を囲む画像を、前記選択用画像として表示させてもよい。
【００１３】
前記表示制御部は、前記現在の画像に複数の進入移動体が含まれる場合に、前記複数の進入移動体の各々を選択するための、互いに異なる形態の複数の選択用画像を表示させてもよい。
【００１４】
前記表示制御部は、互いに色が異なる前記複数の選択用画像を表示させてもよい。
【００１５】
前記受付部及び前記表示部は、前記現在の画像を表示可能であり、前記利用者のタッチ操作を受付可能なタッチパネルを含んでもよい。
【００１６】
前記受付部は、前記タッチパネルに表示された前記現在の画像に含まれる車両へのタッチ操作に基づいて、前記車両を選択する操作を受付けてもよい。
【００１７】
前記撮像部は、撮影領域が互いに重複する複数の撮像装置を含んでもよい。
【００１８】
前記表示部は、前記複数の撮像装置の各々により撮影された動画像に基づいて、前記複数の撮影装置の各々により撮影される複数の現在の画像を同時に、又は切替え可能に表示してもよい。
【００１９】
本発明の一形態に係る駐車場管理装置は、取得部と、検出部と、算出部とを具備する。
前記取得部は、駐車スペースを含む駐車場領域が撮影された動画像を取得する。
前記検出部は、前記取得された動画像に基づいて、前記駐車スペースに進入して停止する進入移動体を検出し、識別情報を付与する。
前記算出部は、前記進入移動体が検出された前記動画像の撮影時刻及び前記識別情報に基づいて、前記駐車スペースに駐車する車両の駐車料金を算出する。
【００２０】
本発明の一形態に係る駐車場管理方法は、コンピュータにより実行される駐車場管理方法であって、駐車スペースを含む駐車場領域が撮影された動画像を取得することを含む。
前記取得された動画像に基づいて、前記駐車スペースに進入して停止する進入移動体が検出され、識別情報が付与される。
前記進入移動体が検出された前記動画像の撮影時刻及び前記識別情報に基づいて、前記駐車スペースに駐車する車両の駐車料金が算出される。
【００２１】
本発明の一形態に係るプログラムは、コンピュータに以下のステップを実行させる。
駐車スペースを含む駐車場領域が撮影された動画像を取得するステップ。
前記取得された動画像に基づいて、前記駐車スペースに進入して停止する進入移動体を検出し、識別情報を付与するステップ。
前記進入移動体が検出された前記動画像の撮影時刻及び前記識別情報に基づいて、前記駐車スペースに駐車する車両の駐車料金を算出するステップ。
【発明の効果】
【００２２】
以上のように、本発明によれば、利用者の利便性の向上、及びコストの削減を実現することが可能となる。
【図面の簡単な説明】
【００２３】
【図１】本発明の第１の実施形態に係る駐車場の構成例を示す模式図である。
【図２】カメラにより撮影される撮影画像の一例を示す模式図である。
【図３】事前精算機の構成例を示すブロック図である。
【図４】事前精算機のソフトウェア構成例を示すブロック図である。
【図５】事前精算機の処理例を示すフローチャートである。
【図６】停止情報の一例を示す模式図である。
【図７】タッチパネルに表示される精算開始画面Ｐ１の一例を示す模式図である。
【図８】タッチパネルに表示される精算開始画面Ｐ１の一例を示す模式図である。
【図９】タッチパネルに表示される精算操作画面Ｐ２の一例を示す模式図である。
【図１０】精算情報の一例を示す模式図である。
【図１１】本発明の第２の実施形態に係る駐車場の構成例を示す模式図である。
【図１２】カメラにより撮影される撮影画像の一例を示す模式図である。
【発明を実施するための形態】
【００２４】
以下、本発明に係る実施形態を、図面を参照しながら説明する。
【００２５】
＜第１の実施形態＞
［駐車場管理システム］
図１は、本発明の第１の実施形態に係る駐車場の構成例を示す模式図である。
【００２６】
本実施形態に係る駐車場１００は、管理人等が常駐していない無人の駐車場である。また駐車場１００は、車両の入場／出場を規制するゲート装置や、未精算での出庫を規制するフラップ装置（ロック装置）等が設けられない所謂フラップレス式駐車場である。これにより管理コストや設備コストが十分に抑えられている。
【００２７】
図１に示すように、駐車場１００は、道路Ｒに隣接する位置に設けられ、入場／出場口１０と、複数の駐車スペース（車室）１５とを有する。入場／出場口１０は、道路Ｒとの境界に設けられる。駐車場１００への車両５の入場、及び駐車場１００からの車両５の出場は、同じ入場／出場口１０を介して行われる。
【００２８】
複数の駐車スペース１５は、駐車場１００の構内に設けられる。本実施形態では、入場／出場口１０から駐車場１００の構内を見た場合に、右手側に構内の奥側に向かって並ぶように、６つの駐車スペース１５が設けられる。なお、本実施形態では、各駐車スペース１５を識別するための駐車スペースナンバー等の表記が不要である。この点においても、設備コストを低減することが可能である。
【００２９】
駐車場１００を管理するために、本実施形態に係る駐車場管理システム２０が構築される。本実施形態では、駐車場管理システム２０は、カメラ２５と、事前精算機３０とを有する。
【００３０】
図１に示すように、カメラ２５は、入場／出場口１０付近に配置される。カメラ２５は、一方向に並ぶ６つの駐車スペース１５を含む領域を、上方側から撮影可能なように配置される。すなわちカメラ２５は、撮影領域（画角）２６が、６つの駐車スペース１５を含むように設定されている。
【００３１】
図２は、カメラ２５により撮影される撮影画像ＩＭ１の一例を示す模式図である。図２に示すように、手前側（入場／出場口１０側）から奥側に向かって、６つの駐車スペース１５の全てを撮影することが可能である。従って、６つの駐車スペース１５に車両５が駐車された場合には、それらの駐車車両５も撮影することが可能である。
【００３２】
なお本開示において、駐車スペース１５を含む領域とは、必ずしも駐車スペース１５の全体を含む領域に限定されず、駐車スペース１５の一部を含む領域も含まれる。例えば駐車スペース１５に物体が進入して停止する状態を検出可能であるのならば、駐車スペース１５の一部が撮影領域２６に含まれなくても、本技術は適用可能である。
【００３３】
以下、カメラ２５により撮影される、６つの駐車スペース１５を含む領域を、駐車場領域６０と記載する。駐車場領域６０は、カメラ２５の撮影領域２６に相当する領域とも言える。
【００３４】
本実施形態では、カメラ２５により、駐車場領域６０の動画像（ライブ画像）が撮影される。動画像のフレームレートは限定されず、任意に設定されてよい。例えば通常は１秒間３０枚のフレームレートで撮像し、夜間等では、フレームレートを下げて撮影するといったことも可能である。また、移動している物体である移動体を検出するまでは低フレームレートで撮影し、移動体が検出された後に移動体が停止するまでは高フレームレートで撮影するといったことも可能である。
【００３５】
カメラ２５としては、例えばＣＭＯＳ（Complementary Metal-Oxide Semiconductor）センサやＣＣＤ（Charge Coupled Device）センサ等のイメージセンサを備えるデジタルカメラが用いられる。その他の種類のカメラが用いられてもよい。本実施形態において、カメラ２５は、撮像装置、及び撮像部として機能する。
【００３６】
事前精算機３０は、入場／出場口１０付近に配置される。事前精算機３０の道路Ｒ側の面が、操作面３１として構成されており、タッチパネルや紙幣・硬貨の投入口等が設けられている。駐車場１００の利用者は、タッチパネル等を介して事前精算機３０を操作することで、事前精算を行うことが可能である。
【００３７】
事前精算機３０とカメラ２５とは、互いに通信可能に接続されており、カメラ２５により撮影された動画像（動画像データ）は、事前精算機３０に送信される。
【００３８】
事前精算機３０とカメラ２５との接続方法は限定されない。例えばケーブル等を用いて事前精算機３０とカメラ２５とが接続される。あるいは、ＷｉＦｉ等の無線ＬＡＮ通信や、Bluetooth（登録商標）等の近距離無線通信が利用されてもよい。また、駐車場１００に構築された構内ＬＡＮを介して、事前精算機３０とカメラ２５とが接続されてもよい。
【００３９】
あるいは、事前精算機３０の内部にカメラ２５が内蔵されてもよい。すなわち事前精算機３０とカメラ２５とが一体的に構成されてもよい。本実施形態において、事前精算機３０は、駐車場管理装置として機能する。
【００４０】
図３は、事前精算機３０の構成例を示すブロック図である。事前精算機３０は、ＣＰＵ３２と、メモリ３３と、これらとバス３４を介して接続されるインターフェイス３５とを有する。メモリ３３は、例えばＲＯＭ、ＲＡＭ、フラッシュメモリ等から構成され、種々のプログラム、種々の駐車データ、及びカメラ２５により撮影された撮影画像（動画像）等が記憶される。また、ＨＤＤ等の大規模データストレージ機器を撮影画像の記憶に用いてもよい。
【００４１】
インターフェイス３５には、カードリーダライタ３６、紙幣・硬貨管理部３７、領収証プリンタ３８、タッチパネル３９、スピーカ４０、インターフォン４１、通信部４２、及び画像取得部４３が接続される。各ブロックの動作は、本技術に係るプログラムに従って動作するＣＰＵ３２により制御される。
【００４２】
カードリーダライタ３６は、操作面３１に形成されたカード挿入口（図示せず）に挿入される種々のカードに対して、情報の読取り／書込みを実行する。本実施形態では、カードリーダライタ３６は、クレジットカードによる駐車料金の精算や、サービス券の読取り等に用いられる。
【００４３】
なお本実施形態では、駐車券の発行は行われない。これにより、駐車券の管理コストを抑えることが可能となる。また利用者にとっては、駐車券の紛失や破損等を心配することなく、駐車場を利用することが可能となり、高い利便性が発揮される。
【００４４】
紙幣・硬貨管理部３７は、紙幣・硬貨投入口に投入された紙幣等を受け取り、計数して投入金額を算出する。また精算により必要となった釣り銭等を計数し、紙幣・硬貨返却口に払い出す。なお、電子マネーによる決済に限定した運用の場合、紙幣・硬貨管理部３７に換えて、電子マネーリーダが搭載される。もちろん、これらが併用されてもよい。
【００４５】
領収証プリンタ３８は、領収証として精算額や日時等をレシート紙にプリントして発行する。
【００４６】
通信部４２は、ネットワーク１を介して、外部の装置等と通信するための通信モジュールであり、例えばＷｉＦｉ等の無線ＬＡＮモジュールや、所謂３Ｇや４Ｇといった移動通信システム対応モジュールが用いられる。
【００４７】
なお、ネットワーク１は、例えばインターネットや広域通信回線網等により構築される。その他、任意のＷＡＮ（Wide Area Network）やＬＡＮ（Local Area Network）等が用いられてよく、ネットワーク１を構築するためのプロトコルは限定されない。
【００４８】
本実施形態では、通信部４２を介して、駐車場の管理サービスを提供する管理会社のオペレータが使用する端末と、事前精算機３０とが通信可能に接続される。例えば利用者は、インターフォン４１を用いることで、管理会社のオペレータと通話することが可能である。
【００４９】
画像取得部４３は、カメラ２５により撮影された駐車場領域６０の動画像を取得する。例えば、カメラ２５に接続されたケーブル等が接続されるＩ／Ｆ（インタフェース）や、カメラ２５との間の無線通信に用いられる無線通信モジュール等が、画像取得部４３として機能し得る。なお、ネットワークカメラ（ＩＰカメラ）を用いる場合には、通信部４２の機能により、画像取得部４３が実現される場合もあり得る。
【００５０】
タッチパネル３９は、表示と入力の機能を備えており、種々の画像や種々のＧＵＩ（Graphical User Interface）等を表示することが可能である。本実施形態では、カメラ２５により撮影された駐車場領域６０の動画像に基づいて、駐車場領域６０の画像（動画像及び静止画像の両方を含む）を表示することが可能である。例えば駐車場領域６０の現在の画像がリアルタイムで、タッチパネル３９に表示される。あるいは、駐車場領域６０の過去の画像を表示することも可能である。
【００５１】
利用者は、タッチパネル３９に対して、種々のタッチ操作を入力することが可能である。タッチパネル３９は、利用者により入力されるタッチ操作を受付け、タッチ操作に応じた操作信号をＣＰＵ３２に送信する。本実施形態において、タッチパネル３９は、表示部及び受付部として機能する。
【００５２】
スピーカ４０は、精算操作などをガイダンスする際の音声出力部として機能する。またスピーカ４０によりアラーム音等が出力されてもよい。
【００５３】
図４は、事前精算機３０のソフトウェア構成例を示すブロック図である。事前精算機３０は、移動体検出部４５、移動体追跡部４６、移動体ＩＤ制御部４７、選択用画像生成部４８、表示制御部４９、精算対象決定部５０、及び駐車料金算出部５１を有する。
【００５４】
これらのブロックは、事前精算機３０のＣＰＵ３２が、本技術に係るプログラムを実行することで構成され、本技術に係る駐車場管理方法が実行される。なお各ブロックを実現するためにＩＣ（集積回路）等の専用のハードウェアが用いられてもよい。
【００５５】
移動体検出部４５は、カメラ２５により撮影された駐車場領域６０の動画像に基づいて、移動する物体である移動体を検出することが可能である。また移動体検出部４５は、検出された移動体の外形を検出することも可能である。
【００５６】
移動体の外形の検出精度は限定されず、正確な外形の形状が検出可能であってもよいし、ある程度の外形の形状が検出可能であってもよい。検出された移動体のおおよその中心点（重心点）と、それを囲むおおよその外形の形状が検出可能であれば、本技術を適用することが可能である。
【００５７】
移動体追跡部４６は、移動体検出部４５により検出された移動体を追跡することが可能である。移動体検出部４５及び移動体追跡部４６により、例えば駐車場領域６０に進入する移動体を検出し、その移動体がその後どのように移動したかを追跡することが可能である。当然のことながら、移動している移動体の停止や、停止している物体の移動の開始等も検出することが可能である。
【００５８】
本実施形態では、移動体検出部４５及び移動体追跡部４６により、駐車スペース１５に進入して停止する移動体を検出することが可能である。すなわち駐車スペース１５に入庫した車両５に対応する移動体を検出することが可能である。以下、駐車スペース１５に進入して停止する移動体を、進入移動体として説明を行う。
【００５９】
なお、６つの駐車スペース１５のうちどの駐車スペース１５に進入して停止した進入移動体であるかが判別可能であってもよいし、判別可能でなくてもよい。例えば、６つの駐車スペース１５の全体領域を１つの駐車スペースとして見做すことも可能である。６つの駐車スペース１５の全体領域内に進入して停止した移動体は、進入移動体として検出される。
【００６０】
移動体を検出する方法、移動体の外形を検出する方法、移動体を追跡する方法は限定されず、任意のアルゴリズム等が用いられてもよい。例えば動画像に対して、特徴量検出、エッジ検出、マッチング等の任意の画像解析技術を実行することで、移動体の検出、外形の検出、移動体の追跡を実行することが可能である。
【００６１】
移動体ＩＤ制御部４７は、検出された移動体に対して、識別情報であるＩＤの付与や削除等を実行可能である。例えば移動体ＩＤ制御部４７により、駐車スペース１５に進入して停止する進入移動体に対してＩＤが付与される。もちろんこれに限定されず、移動体検出部４５及び移動体追跡部４６により検出される任意の移動体にＩＤを付与することも可能である。
【００６２】
ＩＤとしては、例えば多数桁の番号が用いられる。例えば駐車場１００を利用する車両の数の１ヵ月分といった数字を、順次繰り返して付与するようにすればよい。一例として００００１から９９９９９までの数字とし、最初に付与されるのはＩＤ００００１とする。ＩＤの番号は月単位で管理され、例えば月が替われば、またＩＤ００００１から用いられる。もちろんこれに限定されず、識別情報として任意の情報が用いられてよい。
【００６３】
選択用画像生成部４８は、移動体検出部４５及び移動体追跡部４６により検出された進入移動体を選択するための選択用画像ＩＭ４（図７参照）を生成する。選択用画像は、タッチパネル３９に表示される駐車場領域６０の現在の画像に含まれる進入移動体を選択するための画像である。生成された選択用画像は、進入移動体に付与されたＩＤに関連付けられて記憶される。すなわち選択用画像は、選択対象となる進入移動体と関連付けられて記憶される。
【００６４】
表示制御部４９は、タッチパネル３９による画像表示を制御することが可能である。例えば表示制御部４９により、カメラ２５により撮影された駐車場領域６０の現在の画像が表示される。その際に、表示制御部４９は、選択用画像生成部４８により生成された選択用画像を、現在の画像に重畳させて表示させることが可能である。その他、任意の画像表示が実現されてもよい。
【００６５】
精算対象決定部５０は、精算処理を実行する対象を決定する。本実施形態では、進入移動体を検出しＩＤを付与することで、駐車スペース１５に駐車する車両５の駐車料金が算出される。すなわち、移動体が車両５であるとして、精算処理が進められる。精算対象決定部５０により決定される精算対象は、ＩＤが付与された進入移動体であり、これは精算対象となる車両５を決定することに相当する。
【００６６】
駐車料金算出部５１は、精算対象決定部５０により決定された進入対象物、すなわち駐車スペース１５に駐車する車両５の駐車料金を算出する。本実施形態では、進入移動体が検出された動画像の撮影時刻、及び進入移動体に付与されるＩＤに基づいて、駐車スペース１５に駐車する車両５の駐車料金が算出される。
【００６７】
本実施形態において、移動体検出部４５、移動体追跡部４６、及び移動体ＩＤ制御部４７は、検出部として機能する。また精算対象決定部５０及び駐車料金算出部５１は、算出部として機能する。
【００６８】
図５は、事前精算機３０の処理例を示すフローチャートである。まず駐車場１００に車両５が入場する際の処理例を説明する。
【００６９】
移動体検出部４５により、移動体が検出されるか否か監視される（ステップ１０１）。移動体が検出された場合は（ステップ１０１のＹＥＳ）、新規の移動体であるか否かが判定される（ステップ１０２）。
【００７０】
ステップ１０２の判定は、検出された移動体に既にＩＤが付与されているか否かにより実行される。検出された移動体に既にＩＤが付与されている場合には、新規の移動体ではないと判定される。検出された移動体にＩＤが付与されていない場合には、新規の移動体であると判定される。
【００７１】
例えば既に駐車場１００の駐車スペース１５に駐車している車両５が移動したとする。この場合、ステップ１０１にて、当該車両５が移動体として検出される。その車両５については、すでに駐車スペース１５に駐車する際にＩＤが付与されているので、新規の移動体には該当しない。
【００７２】
一方、入場／出場口１０から車両５が入場した場合には、カメラ２５により撮影された動画像に基づいて、入場した車両５が移動体として検出される。当該車両にはＩＤは付与されていないので、新規の移動体として判定される。
【００７３】
駐車場１００に車両５が入場する際には、ステップ１０２はＹＥＳとなり、移動体ＩＤ制御部４７により、検出された移動体にＩＤが付与される（ステップ１０３）。そして、移動体追跡部４６により、ＩＤが付与された新規の移動体が追跡される（ステップ１０４）。
【００７４】
追跡している移動体が消失したか否か判定される（ステップ１０５）。本実施形態では、カメラ２５により撮影される動画像から移動体が消失した場合には、移動体が出場したと判定される。例えば駐車場１００に入場したが、満車等の理由により、車両５を駐車することなく駐車場１００から出場した場合等が考えられる。
【００７５】
移動体が消失した場合は（ステップ１０５のＹＥＳ）、ステップ１０３にて付与されたＩＤがリセットされる（ステップ１０６）。リセットされたＩＤは、次に新規の移動体が検出された場合に使用される。
【００７６】
移動体が消失していない場合は（ステップ１０５のＮＯ）、移動体が停止するか否かが判定される（ステップ１０７）。移動体が停止していない場合は（ステップ１０７のＮＯ）、ステップ１０５に戻る。移動体が停止した場合には、停止情報が生成されて記憶される（ステップ１０８）。
【００７７】
図６は、停止情報の一例を示す模式図である。例えば停止情報５５は、メモリ３３に構築される停止情報ＤＢに格納される。
【００７８】
本実施形態では、移動体が駐車場領域６０から消失することなく停止した場合には、駐車スペース１５に車両５が駐車したと見做して、停止情報が生成される。すなわち移動体が駐車場領域６０から消失することなく停止した場合には、当該移動体が、駐車スペース１５に進入して停止する進入移動体として検出される。
【００７９】
図６Ａに示すように、停止情報５５は、ステップ１０３で付与された「ＩＤ」と、移動体が停止した「停止時刻」とを含む。ＩＤは、検出された進入移動体に付与されるＩＤに相当する。本実施形態では、新規の移動体が検出された場合にＩＤが付与される。これに代えて、駐車スペースに停止したタイミング、すなわち進入移動体として検出されたタイミングで、ＩＤが付与されてもい。
【００８０】
停止時刻は、移動体の停止が検出された動画像（フレーム画像）の撮影時刻に基づいて、算出される。例えば、停止した状態が撮影されたフレーム画像の撮影時刻が、停止時刻として算出される。移動体の停止時刻は、進入移動体が検出された時刻に相当する。すなわち、移動体の停止時刻は、進入移動体が検出された動画像（フレーム画像）の撮影時刻に基づいて算出された時刻とも言える。もちろん、進入移動体の停止が検出された動画像の撮影時刻が停止時刻として用いられてもよい。
【００８１】
図６Ｂに示すように、停止情報として、「入場時刻」や「停止位置」等が記憶されてもよい。入場時刻は、例えばカメラ２５により撮影された駐車場領域６０の動画像内に、車両５が出現したタイミング（そのときの撮影時刻）に基づいて算出される。
【００８２】
停止位置は、動画像（フレーム画像）内の、進入移動体の位置に基づいて、判定可能である。例えば、６つの駐車スペース１５を識別する識別情報が、停止位置として記憶されてもよい。あるいは、駐車スペース１５とは異なる領域に停止している旨の情報が記憶されてもよい。この場合、不正利用の可能性があるので、不正フラグや警戒フラグ等も合わせて記憶されてもよい。
【００８３】
図７及び図８は、タッチパネル３９に表示される精算開始画面Ｐ１の一例を示す模式図である。例えば、利用者が事前精算機３０に近づき、図示しない精算開始釦またはタッチパネル３９上の車両選択キーを操作すると、タッチパネル３９に精算開始画面Ｐ１が表示される。
【００８４】
精算開始画面Ｐ１は、車両決定画像ＩＭ２を含む。車両決定画像ＩＭ２は、カメラ２５により撮影された駐車場領域６０の現在の画像ＩＭ３に、選択用画像ＩＭ４が重畳された画像である。本実施形態では、表示制御部４９により、進入移動体を選択するための選択用画像ＩＭ４が、現在の画像ＩＭ３に重畳されて表示される。
【００８５】
駐車場領域６０の現在の画像ＩＭ３は、駐車スペース１５に駐車する車両５を含む。これらの車両５は、移動体検出部４５及び移動体追跡部４６により検出された進入移動体５６に相当する。
【００８６】
図７Ａに示すように、本実施形態では、選択用画像ＩＭ４として、進入移動体５６を囲む外枠画像５７が表示される。外枠画像５７は、移動体検出部４５により検出された進入移動体５６の外形に基づいて生成される。表示制御部４９は、進入移動体５６に付与されたＩＤに基づいて、選択用画像ＩＭ４をメモリ３３から読み出す。そして、進入移動体５６を囲むように、外枠画像５７を現在の画像ＩＭ３に重畳させて表示させる。
【００８７】
また精算開始画面Ｐ１は、「次へ」のキーと、「精算する車の枠をタッチしてください。」の文字を含む。別途、スピーカ４０から音声で出力してもよい。
【００８８】
利用者は、外枠画像５７の枠部分及び枠内のいずれかに対してタッチ操作を行うことで、外枠画像５７により囲まれている車両５を選択することが可能となる。このように選択用画像ＩＭ４を重畳させることで、利用者は自分の車両５を容易に選択することが可能となり、高い利便性が発揮される。
【００８９】
なお図７Ａに示すように、複数の外枠画像５７が互いに重なるように表示される場合もあり得る。この場合は、例えば、枠内の重複している領域へのタッチ操作は無効として、重なっていない部分へのタッチ操作が促される。あるいは、枠内の重複している領域のタッチ位置に基づいて、近いほうの車両５が選択されてもよい。その他、任意の設定が採用されてよい。
【００９０】
図７Ｂに示すように、現在の画像ＩＭ３に複数の車両５（進入移動体５６）が含まれる場合には、複数の車両５（進入移動体５６）の各々を選択するための選択用画像ＩＭ４（外枠画像５７）が、互いに異なる色で表示されてもよい。これにより、複数の外枠画像５７が重なって表示される場合でも、各々の外枠画像５７を識別することが容易となり、自分の車両５を容易に特定することが可能となる。これにより利便性が向上する。
【００９１】
このように、現在の画像ＩＭ３に複数の車両５（進入移動体５６）が含まれる場合に、複数の複数の車両５（進入移動体５６）の各々を選択するための、互いに異なる形態の複数の選択用画像ＩＭ４が表示されてもよい。互いに異なる形態として、色、形状、サイズ、表示態様（点滅等）等が異なるような構成が挙げられる。もちろんこれに限定されず、任意の構成が採用されてよい。
【００９２】
その他、選択用画像ＩＭ４の具体的な構成は限定されず、任意に設定されてよい。例えば選択用画像ＩＭ４として、数字やアルファベット等の文字を含む画像が枠線画像５７の近傍に吹き出し状に表示される。そして、タッチ操作に代えて、テンキー等の釦が押されることで、車両５（進入移動体５６）が選択されてもよい。
【００９３】
図８に示すように、本実施形態では、外枠画像５７へのタッチ操作が行われると、その外枠画像５７が強調表示される。これにより、利用者は、どの車両５を選択したかを容易に把握することが可能となり、利便性が向上する。
【００９４】
なお、外枠画像５７を強調表示する方法は限定されない。予め決められた色で表示する、点滅させる、選択された外枠画像５７のみを表示して他の外枠画像を消す、等、任意の強調表示が実行されてよい。
【００９５】
また外枠画像５７へのタッチ操作が行われると、精算開始画面Ｐ１の下方に、「この車を精算する」キーと、「戻る」キーが表示される。「この車を精算する」キーが選択されると、車両５の選択が完了する。
【００９６】
本実施形態において、外枠画像５７へのタッチ操作は、外枠画像５７に関連付けられた車両５へのタッチ操作に相当する。そして、車両５へのタッチ操作に基づいて、現在の画像ＩＭ３に含まれる車両５を選択する操作が受付けられる。もちろん「この車を精算する」キーの選択等の、最終確認用の操作が省かれてもよい。
【００９７】
タッチパネル３９に表示された現在の画像ＩＭ３に含まれる車両５（進入移動体５６）を選択する操作が受付けられると、精算対象決定部５０により、精算対象となる進入移動体が決定される。そして、駐車料金算出部５１により、駐車料金が算出される。
【００９８】
本実施形態では、図６に例示する停止情報５５に含まれる停止時刻と、現在時刻との差分に応じて駐車料金が算出される。上記したように、停止時刻は、進入移動体５６が検出された動画像（フレーム画像）の撮影時刻に基づいて算出された時刻とも言える。停止時刻として、進入移動体５６が検出された動画像の撮影時刻がそのまま用いられてもよい。また、現在時刻としては、車両５の選択操作を受付けた際の現在の画像ＩＭ３の撮影時刻を用いることが可能である。
【００９９】
すなわち本実施形態では、選択された車両５に対応する進入移動体５６に付与されているＩＤに基づいて、当該進入移動体５６が検出された動画像の撮影時刻と、現在の画像ＩＭ３の撮影時刻との差分に応じて、駐車料金を算出することが可能である。なお、選択された車両５に対応する進入移動体５６は、対応移動体に相当する。
【０１００】
図９は、タッチパネル３９に表示される精算操作画面Ｐ２の一例を示す模式図である。図８に示す精算開始画面Ｐ１内の「この車を精算する」キーが選択され、精算対象となる車両５の選択が完了すると、精算操作画面Ｐ２に切替えられる。利用者が精算操作画面Ｐ２を見ながら支払い完了させると、事前精算処理は終了する。
【０１０１】
図１０は、精算情報の一例を示す模式図である。例えば精算情報５８は、メモリ３３に構築される精算情報ＤＢに格納される。
【０１０２】
本実施形態では、精算情報５８は、「ＩＤ」「入庫時刻」「精算完了フラグ」「不正フラグ」「精算金額」「出場時刻」を含む。精算情報５８は、例えば駐車スペース１５に車両５が駐車したタイミング、すなわち進入移動体５６が検出された図６に示す停止情報５５が生成されたタイミングで生成される。もちろん、そのタイミングで確定していない情報はブランクとなる。
【０１０３】
入庫時刻は、図６に示す「停止時刻」と同じ時刻となる。利用者により事前精算処理が行われると、精算完了フラグが付与され、精算金額及び精算時刻が記憶される。なお、精算情報として記憶される情報は限定されず、支払種別（現金、クレジットカード、電子マネー）等の情報が記憶されてもよい。
【０１０４】
なお、図６に示す停止情報５５と、図１０に示す精算情報５８とを包括的に含む情報が、ＩＤと関連付けられて生成されてもよい。
【０１０５】
図５に戻り、駐車場１００から車両５が出場する際の処理例を説明する。
【０１０６】
駐車スペース１５に停止している車両５を駐車スペース１５から移動させると、ステップ１０１にて移動体が検出される。駐車スペース１５から移動する移動体は、既に進入移動体５６として検出されておりＩＤが付与されている。従って新規な移動体ではないので、ステップ１０２はＮＯとなり、駐車料金が精算済か否か判定される（ステップ１０９）。
【０１０７】
本実施形態では、進入移動体５６に付与されているＩＤに基づいて、図１０に示す精算情報５８が参照される。そして精算完了フラグが付与されているか否かに基づいて、駐車料金が精算済か否かを判定することが可能である。
【０１０８】
事前精算が完了している場合は（ステップ１０９のＹＥＳ）、動画像に基づいて、進入移動体が追跡される（ステップ１０４）。そして、駐車場領域６０から車両５（進入移動体５６）が消失した場合、駐車場１００から出場したと判定して、出場時刻が精算情報５８に記憶される。またＩＤがリセットされる（ステップ１０６）。なおこのＩＤは、精算情報５８の管理に用いられるため、次の新規の移動体に対して使い回されることはない。
【０１０９】
なお、車両５（進入移動体５６）の駐車スペース１５からの移動が検出された動画像（フレーム画像）の撮影時刻が、精算情報５８に含まれる精算時刻から所定の時間経過している場合には、追徴料金を発生させてもよい。精算時刻から、駐車スペース１５からの移動が検出された時刻に対応する駐車料金が、追徴料金として算出される。そして、不正フラグとおもに、追徴料金が精算情報５８に記憶される。
【０１１０】
また車両５（進入移動体５６）が、駐車場領域６０内にて、再び停止した場合には、改めて停止情報５５を生成する。この際に、所定の時間以上の停止が検出された場合に、停止情報５５を生成するといった処理が実行されてもよい。
【０１１１】
駐車料金の精算が完了していない場合（ステップ１０９のＮＯ）、駐車場１００の未精算での不正利用と判定し、精算情報５８に不正フラグが付与される（ステップ１１０）。そして、駐車料金算出部５１により、未精算料金が算出され、精算情報５８に記憶される。
【０１１２】
本実施形態では、進入移動体５６が検出された動画像の撮影時刻と、不正フラグが付与された進入移動体５６の駐車スペース１５からの移動が検出された動画像の撮影時刻との差分に応じて、駐車料金が算出される。すなわち、車両５が駐車スペース１５に駐車した時刻と、車両５が駐車スペース１５から移動した時刻との差分に基づいて、未精算料金が算出される。
【０１１３】
なお、進入移動体５６が検出された動画像の撮影時刻と、不正フラグが付与された進入移動体５６の駐車場領域６０からの移動が検出された動画像の撮影時刻との差分に応じて、駐車料金が算出されてもよい。車両５が駐車スペース１５に駐車した時刻と、車両５が駐車場領域６０から移動した時刻との差分に基づいて、未精算料金が算出されてもよい。
【０１１４】
精算情報５８は、例えば通信部４２を介して、駐車場の管理サービスを提供する管理会社の管理センタに送信され管理される。例えば不正フラグが付与された進入移動体５６に対応する車両５の画像も一緒に送信される。
【０１１５】
管理センタでは、受信した画像に基づいて、車両ナンバー（陸運支局名、分類番号、平仮名、４桁の一連番号等）を読み取り、車両５を特定する。その特定情報に基づいて、追徴料金や未精算料金の請求処理が実行される。例えば、他の駐車場や本駐車場に再度同一ナンバープレートの車両が入場した際に、追徴料金を請求するようにしてもよい。
【０１１６】
以上、本実施形態に係る駐車場管理システム２０では、移動する物体である移動体を検出することで、駐車料金が算出される。具体的には、駐車スペース１５に進入して停止する移動体を、駐車車両５に対応する進入移動体５６として検出し、ＩＤを付与する。精算時には、利用者に、現在の画像ＩＭ３から自分の車両５を選択させる。この選択操作に基づいて、精算対象となる進入移動体５６が決定される。そして当該進入移動体５６のＩＤ、及び当該進入移動体５６が検出された動画像の撮影時刻に基づいて、駐車料金が算出される。これにより駐車場１００を利用する利用者の利便性を向上させることが可能となり、また設備投資等のコストを削減することが可能となる。
【０１１７】
上記した特許文献１に記載の駐車場管理システムでは、事前精算時に自車両の車両ナンバーを入力して精算する操作が必要である。従って、利用者が自車両ナンバーを失念した場合や、煩雑な操作に慣れない場合等では、他の利用者が精算出来ずに待たなければならず、事前精算機に精算待ちの行列ができることもあり得る。
【０１１８】
特許文献２に記載の駐車場管理システムでは、駐車場入口で駐車券を発行し、駐車場内部では監視カメラで駐車状況を撮像し、事前精算機で駐車位置を検索するだけであり、システム全体で必要とされる機器が多岐に渡り、設置コストが高騰し、かつ、ランニングコストの低減も難しい。
【０１１９】
本技術に係る駐車場管理システム２０では、車両ナンバーを撮像して文字読み取りする必要がないため、画像処理が容易で、カメラ２５の解像度も低くて済み、一台のカメラで広範囲の撮像が可能であるので、設置コストが低減される。また、利用者は車室番号や車両ナンバーを入力する必要がなく、自車両を選択するという簡単な操作で精算処理が可能である。従って、利用者にとって非常に高い利便性が発揮される。また、車両ナンバー入力のためのテンキー入力装置等を省略することも可能であるので、設置コストの低減になる。
【０１２０】
＜第２の実施形態＞
本発明に係る第２の実施形態の駐車場管理システムについて説明する。これ以降の説明では、上記の実施形態で説明した駐車場管理システム２０における構成及び作用と同様な部分については、その説明を省略又は簡略化する。
【０１２１】
図１１は、本実施形態に係る駐車場の構成例を示す模式図である。
【０１２２】
本実施形態に係る駐車場２００では、駐車場管理システム２２０として、４つのカメラ２２５ａ〜２２５ｄと、事前精算機２３０とが設けられる。カメラ２２５ａ〜２２５ｄは、撮影領域２２６ａ〜２２６ｄが互いに重複するようにそれぞれ配置される。本実施形態において、４つのカメラ２２５ａ〜２２５ｄは、複数の撮像装置及び撮像部に相当する。
【０１２３】
図１１に示すように、駐車場２００の構内には、入場／出場口２１０から見て、左右の両側に７つの駐車スペース２１５が並んでいる。４つのカメラ２２５ａ〜２２５ｄにより、合計１４個の駐車スペース２１５を含む駐車場領域２６０の動画像を撮影することが可能である。
【０１２４】
４つのカメラ２２５ａ〜２２５ｄにより撮影された動画像は、事前精算機２３０の画像取得部により取得される。そして、各動画像に対して、移動体の検出や移動体の追跡等、上記の実施形態で説明した処理が実行される。
【０１２５】
図１２Ａは、カメラ２２５ａにより撮影される撮影画像ＩＭ１ａの一例を示す模式図である。図１２Ｂは、カメラ２２５ｂにより撮影される撮影画像ＩＭ１ｂの一例を示す模式図である。なお、図中の格子状に図示された点線は、駐車場領域２６０に設定される仮想的な２次元座標（Ｘ‐Ｙ座標）を表す図であり、実際に撮影画像中に表示される訳ではない。
【０１２６】
複数のカメラが用いられる場合、異なるカメラにてそれぞれ撮影された同一の物体を、同一の物体であると認識可能であるならば、上記の実施形態で説明した技術を適用することが可能となる。
【０１２７】
例えば駐車場２００に車両５が入場し、構内の奥側へ進むとする。この場合、図１２Ａに示す撮影画像ＩＭ１ａと、図１２Ｂに示す撮影画像ＩＭ１ｂとの両方に映ることもあり得る。この際に、撮影画像ＩＭ１ａと、撮影画像ＩＭ１ｂとの両方に映っている車両５が、同一の移動体であるということを認識することで、車両５（移動体）を適正に追跡することが可能となる。この結果、駐車スペース２１５に駐車する車両５を、進入移動体として検出し、カメラ２２５ａ〜２２５ｄにより撮影された動画像の撮影時刻に基づいて、駐車料金を算出することが可能となる。
【０１２８】
例えば、駐車場領域２６０に対して、仮想的な座標系が設定される。そして、カメラ２２５ａ〜２２５ｄにより撮影される画像に対して、その仮想的な座標系が適用される。すなわち仮想的に設定される３次元の座標系と、２次元の撮影画像内の座標系とが互いに変換される。この座標変換は、カメラ２２５ａ〜２２５ｄの各々の位置、高さ、撮影方向（注視点）、駐車場２００のレイアウト等に基づいて、射影変換等を用いることで実行可能である。
【０１２９】
カメラ２２５ａ〜２２５ｄの各々の動画像において移動体が検出された場合、画像内の移動体の基準位置（例えば重心の位置）に基づいて、仮想的な３次元座標系における位置を算出する。仮想的な３次元座標系において、異なる撮影画像にて検出された移動体の基準位置が、２次元座標に変換した時に同一あるいは非常に近いＸ‐Ｙ座標上を移動している場合には、それらの移動体は同一の移動体であると認識する。例えば、このような技術を用いることが可能である。
【０１３０】
もちろん、異なるカメラで撮影された同一の物体を、同一の物体であると認識することが可能となる他の任意の技術が用いられてもよい。
【０１３１】
このように、移動体の追跡データが、複数のカメラ間でシームレスに受け渡すことが可能であれば、すなわちいずれかのカメラに移動体が映りこんでいて、１つの画像から消失しても他の画像で認識されていれば、駐車場２００の規模が大きくなっても、移動体の移動と停止を常に監視することができる。
【０１３２】
図７及び図８で例示した精算開始画面では、カメラ２２５ａ〜２２５ｄにより撮影された複数の現在の画像ＩＭ３が同時に表示される。あるいは、現在の画像ＩＭ３が切替え可能に表示されてもよい。もちろん現在の画像ＩＭ３に選択用画像ＩＭ４が重畳された車両決定画像ＩＭ２が、４枚同時に、あるいは切替え可能に表示されてもよい。
【０１３３】
４枚の現在の画像ＩＭ３（車両決定画像ＩＭ２）のサムネイル画像等が、カメラ選択用画像として表示されてもよい。利用者により、１つのサムネイル画像が選択されると、当該サムネイル画像に対応する現在の画像ＩＭ３（車両決定画像ＩＭ２）がタッチパネルに表示される。その他、自車両を決定させるための任意の表示方法が採用されてよい。
【０１３４】
以上、本実施形態に係る駐車場管理システム２２０によれば、比較的大規模の駐車場２００においても、駐車場２００を利用する利用者の利便性を向上させることが可能となり、また設備投資等のコストを削減することが可能となる。
【０１３５】
＜その他の実施形態＞
本発明は、以上説明した実施形態に限定されず、他の種々の実施形態で実現することができる。
【０１３６】
例えば事前精算機３０により、カメラ２５により撮影された動画像に基づいて車両ナンバーが読み取り可能であってもよい。例えばナンバープレートの部分を抽出する画像処理や、ＯＣＲ（Optical Character Recognition）処理等の技術により、車両ナンバーの読取りは実現可能である。もちろん他の任意の技術が用いられてもよい。
【０１３７】
事前精算機３０で読み取られた車両ナンバーは、例えば精算情報５８に格納され、外部の管理センタ等へ送信される。これにより不正フラグが付与された車両５を特定することが可能となり、追徴料金や未精算料金の請求処理を実行することが可能となる。
【０１３８】
上記では、未精算で出場する車両５に不正フラグが付与された。一方、月末に一括で駐車料金を精算するような運用が行われる場合には、通常の駐車料金として算出されて記憶されてもよい。すなわち進入移動体５６が検出された動画像の撮影時刻と、進入移動体５６の駐車スペース１５（駐車場領域６０）からの移動が検出された動画像の撮影時刻との差分に応じて、不正ではない通常の駐車料金が算出されてもよい。これにより利用者は、特別な操作等を行うことなく、車両５を駐車場１００に駐車することが可能となり、高い利便性が発揮される。
【０１３９】
図７及び図８で例示した精算開始画面Ｐ１において、各車両５を選択するための外枠画像５７が、順に表示されてもよい。そして、利用者の選択したい車両５に外枠画像５７が表示されたタイミングで決定釦等を押すことで、車両５を選択することが可能である。すなわち受付部として、タッチパネル３９に代えて、あるいは加えて、物理的な釦等が設置されてもよい。
【０１４０】
なお、本技術の実施例は、車両として普通自動車や大型自動車等を問わず、または二輪車も併用で管理することもできる。例えば駐車場の駐車スペースの一部が二輪車用のスペースであって、利用者はそのエリアを撮像するカメラの画像から、自分の二輪車を選択して、停止時間と現在時間の差異から、駐車時間を算出して、駐車料金を算出するようにしてもよい。
【０１４１】
すなわち本開示では、車両は、自動車に限定されず、自転車や二輪車（バイク）等も含む。また駐車場は、自転車や二輪車（バイク）等を駐車するための駐輪場を含む概念である。すなわち本技術は、自動車を駐車可能な駐車場に限定されず、駐輪場等にも適用可能である。
【０１４２】
加えて、移動体の監視は車両に限らず、人物に各々ＩＤを付与してその移動を監視してもよい。乗車人数のデータを採取して利用者の行動を分析したり、不審者の行動を監視して、自動的に警備会社に通報するようにすることも可能である。
【０１４３】
上記では、駐車スペースが枠線により規定されている場合を例に挙げた。これに限定されず、駐車スペースが規定されていない場合にも、本技術は適用可能である。例えば、大型車両や軽自動車が混在する駐車場等で、予め枠線をペイントされておらずとも、従来のように車室番号を入力する操作がないため、駐車スペースの概念そのものが不要である。
【０１４４】
さらに、普段は空地になっている土地を、イベント等の際に臨時の駐車場として活用する場合や、舗装されていない土地を駐車場とする場合等、駐車スペースの枠線を敷設することが不可能であっても、カメラや事前精算機を設置することで、本技術の駐車場管理装置による運用が容易に開始される。
【０１４５】
上記では、事前精算機が、本技術に係る駐車場管理装置として機能する場合を例に挙げた。これに限定されず、本技術に係る駐車場管理装置が、他の位置に配置され、インターネット等を介して、駐車場に配置された各装置と通信可能に接続されてもよい。すなわち本技術に係る駐車場管理システムが、インターネット等を介して接続された複数の装置により実現されてもよい。また表示部や受付部が事前精算機に備えられる場合に限定されず、駐車場に配置された他の装置に備えられてもよい。
【０１４６】
また本技術に係る駐車場管理方法、及びプログラムは、単体のコンピュータにより実行されてもよいし、複数のコンピュータが連動することで実行されてもよい。すなわち追跡画像の取得、進入移動体の検出、駐車料金の算出等が、単体のコンピュータにより実行される場合と、各処理が異なるコンピュータにより実行される場合とのいずれもが有り得る。また所定のコンピュータによる各処理の実行は、当該処理の一部または全部を他のコンピュータに実行させその結果を取得することを含む。例えば本技術に係る駐車場管理方法及びプログラムは、クラウドコンピューティングの構成にも適用することが可能である。
【０１４７】
各図面を参照して説明した駐車場、事前精算機、画像、移動体の検出／追跡フロー等はあくまで一実施形態であり、本技術の趣旨を逸脱しない範囲で、任意に変形可能である。すなわち本技術を実施するための他の任意の構成やアルゴリズム等が採用されてよい。
【０１４８】
以上説明した本発明に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１４９】
また、本発明は、請求の範囲及び明細書全体から読み取ることのできる発明の要旨又は思想に反しない範囲で適宜変更可能であり、そのような変更を伴う車両場管理システムもまた本発明の技術思想に含まれる。
【産業上の利用可能性】
【０１５０】
本発明の技術は、小規模か大規模か、屋内か屋外かを問わず、設置コストとランニングコストの削減を図る有料駐車場において、好適に利用できるものである。
【符号の説明】
【０１５１】
ＩＭ３…現在の画像
ＩＭ４…選択用画像
５…車両
１５、２１５…駐車スペース
２０、２２０…駐車場管理システム
２５、２２５ａ〜２２５ｄ…カメラ
２６、２２６ａ〜２２６ｄ…撮影領域
３０、２３０…事前精算機
４３…画像取得部
４５…移動体検出部
４６…移動体追跡部
４７…移動体ＩＤ制御部
４８…選択用画像生成部
４９…表示制御部
５０…精算対象決定部
５１…駐車料金算出部
５６…進入移動体
５７…外枠画像
６０、２６０…駐車場領域
１００、２００…駐車場
【図１】
2020013293.tif 000003
【図２】
2020013293.tif 000004
【図３】
2020013293.tif 000005
【図４】
2020013293.tif 000006
【図５】
2020013293.tif 000007
【図６】
2020013293.tif 000008
【図７】
2020013293.tif 000009
【図８】
2020013293.tif 000010
【図９】
2020013293.tif 000011
【図１０】
2020013293.tif 000012
【図１１】
2020013293.tif 000013
【図１２】
2020013293.tif 000014